【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
共通の話題を有する文書を検索し、第１の特徴値を有する第１の文書集合、又は、第２の特徴値を有する第２の文書集合に分類する装置であって、
（ａ）所定の用語リストに基づいて第３の文書を検索する手段、
（ｂ）前記第３の文書のそれぞれについて第３の特徴値を算出する手段、
（ｃ）前記第１の特徴値と前記第３の特徴値とを用いた判別式、及び、前記第２の特徴値と前記第３の特徴値とを用いた判別式により、前記第３の文書を第１の文書集合、又は、第２の文書集合に分類する手段、
（ｄ）第１の文書集合及び第２の文書集合から、ガービッジ型文書、リスト型文書、日記型文書の一つ以上に該当する文書を除去する手段、
を含み、
前記特徴値は、内容語数、素人語比率、固有名詞比率、追加固有名詞比率、助詞・助動詞比率、及び、内容語及び助詞・助動詞に関するｎグラムの発生頻度から算出されるスピアマンの相関係数・有意度を含む装置。
【請求項２】
共通の話題を有する第１の特徴値を有する第１の文書及び第２の特徴値を有する第２の文書から、第１の文書の着目する語彙に対応する第２の文書の語彙、又は、第２の文書の着目する語彙に対応する第１の文書の語彙を検出する装置であって、
（ａ）所定の用語リストに基づいて第３の文書を検索する手段、
（ｂ）前記第３の文書のそれぞれについて第３の特徴値を算出する手段、
（ｃ）前記第１の特徴値と前記第３の特徴値とを用いた判別式、及び、前記第２の特徴値と前記第３の特徴値とを用いた判別式により、前記第３の文書を第１の文書集合、又は、第２の文書集合に分類する手段、
（ｄ）第１の文書集合及び第２の文書集合から、ガービッジ型文書、リスト型文書、日記型文書の一つ以上に該当する文書を除去する手段、
（ｅ）第１の文書及び第２の文書の着目する語彙対の発生頻度を求める手段、
（ｆ）前記着目する語彙対の発生頻度に基づいて、前記第１の文書の着目する語彙との関連性が所定値以上の前記第２の文書の語彙を選択し、第１の文書の着目する語彙に対応する第２の文書の語彙とする手段、
（ｇ）前記着目する語彙対の発生頻度に基づいて、前記第２の文書の語彙との関連性が所定値以上の前記第１の文書の語彙を選択し、第２の文書の着目する語彙に対応する第１の文書の語彙とする手段、
を含み、前記特徴値は、内容語数、素人語比率、固有名詞比率、追加固有名詞比率、助詞・助動詞比率、及び、内容語及び助詞・助動詞に関するｎグラムの発生頻度から算出されるスピアマンの相関係数・有意度を含む装置。
【請求項３】
以下の（ａ）から（ｃ）の手段を有する、共通の話題を有する第１の文書と第２の文書から、前記第１の文書の着目する語彙に対応する前記第２の文書の語彙、又は、前記第２の文書の着目する語彙に対応する前記第１の文書の語彙を検出する装置、
（ａ）第１の文書及び第２の文書の着目する語彙対の発生頻度を求める手段、
（ｂ）前記着目する語彙対の発生頻度に基づいて、前記第１の文書の着目する語彙との関連性が所定値以上の前記第２の文書の語彙を選択し、前記第１の文書の着目する語彙に対応する前記第２の文書の語彙を検出する手段、
（ｃ）前記着目する語彙対の発生頻度に基づいて、前記第２の文書の着目する語彙との関連性が所定値以上の前記第１の文書の語彙を選択し、前記第２の文書の着目する語彙に対応する前記第１の文書の語彙を検出する手段。
【請求項４】
以下の（ａ）から（ｆ）の手段を有する、用語リストに基づき検索された共通の話題を有する第１の文書と第２の文書から、前記第１の文書の着目する語彙に対応する前記第２の文書の語彙、又は、前記第２の文書の着目する語彙に対応する前記第１の文書の語彙を検出する装置、
（ａ）第１の文書及び第２の文書の着目する語彙対が同時に生起する確率P(A)を求める手段、
（ｂ）第１の文書及び第２の文書の前記着目する語彙対のうち、一方が生起し、かつ、他方が生起しない確率P(B)を求める手段、
（ｃ）前記P(A)及びP(B)に基づき、最大尤度比率を求める手段、
（ｄ）前記最大尤度比率が所定の閾値を超えている語彙対の全ての組合せを抽出する手段、
（ｅ）前記組合せの中から第２の文書の着目する語彙に対応する第１の文書の語彙の中から、前記最大尤度比率の高いものから所定数選択し、前記第２の文書の着目する語彙に対応する前記第１の文書の語彙とする手段、
（ｆ）前記組合せの中から第１の文書の着目する語彙に対応する第２の文書の語彙の中から、前記最大尤度比率の高いものから所定数選択し、前記第１の文書の着目する語彙に対応する前記第２の文書の語彙とする手段。
【請求項５】
以下の（ａ）から（ｅ）の手段を有する、用語リストに基づき検索された共通の話題を有する第１の文書と第２の文書から、前記第１の文書の着目する語彙に対応する前記第２の文書の語彙、又は、前記第２の文書の着目する語彙に対応する前記第１の文書の語彙を検出する装置、
（ａ）第１の文書から、第１の語彙リストに記載されている各語彙の発生頻度を基に、第１の語彙行列を作成する手段、
（ｂ）第２の文書から、第２の語彙リストに記載されている各語彙の発生頻度を基に、第２の語彙行列を作成する手段、
（ｃ）前記第１の語彙行列及び前記第２の語彙行列の積から語彙変換行列を求める手段、
（ｄ）前記語彙変換行列の着目する行の中から値の大きい語彙を所定数選択し、前記第２の文書の着目する語彙に対応する前記第１の文書の語彙とする手段、
（ｅ）前記語彙変換行列の着目する列の中から値の大きい語彙を所定数選択し、前記第１の文書の着目する語彙に対応する前記第２の文書の語彙とする手段。
【請求項６】
前記第１の語彙行列は、ｓを前記用語リストの数、及び、ｎを第１の文書から選択された語彙数としたとき、ｓ行ｎ列の行列Ｐで表され、前記行列Ｐの構成要素は、前記第1の文書のk番目の文書に現れるｉ番目の語彙の頻度をExp(k,i) 、前記語彙の全体の頻度をEtf(i)、k番目の文書に生じる語の総数をEwf(k)としたとき、
【数１】
2005309853.tif 000001
前記第２の語彙行列は、ｓを前記用語リストの数、及び、ｍを第２の文書から選択された語彙数としたとき、ｓ行ｍ列の行列Ｑで表され、前記行列Ｑの構成要素は、前記第２の文書のk番目の文書に現れるｒ番目の語彙の頻度をNaive(k,r)、前記語彙の全体の頻度をNtf(r)、k番目の文書に生じる語彙の総数をNwf(k)としたとき、
【数２】
2005309853.tif 000002
で与えられる請求項５に記載の装置。
【請求項７】
コンピュータを使用して、共通の話題を有する文書を検索し、第１の特徴値を有する第１の文書集合、又は、第２の特徴値を有する第２の文書集合に分類する方法であって、
（ａ）所定の用語リストに基づいて第３の文書を検索するステップ、
（ｂ）前記第３の文書のそれぞれについて第３の特徴値を算出するステップ、
（ｃ）前記第１の特徴値と前記第３の特徴値とを用いた判別式、及び、前記第２の特徴値と前記第３の特徴値とを用いた判別式により、前記第３の文書を第１の文書集合、又は、第２の文書集合に分類するステップ、
（ｄ）第１の文書集合及び第２の文書集合から、ガービッジ型文書、リスト型文書、日記型文書の一つ以上に該当する文書を除去するステップ、
を含み、
前記特徴値は、内容語数、素人語比率、固有名詞比率、追加固有名詞比率、助詞・助動詞比率、及び、内容語及び助詞・助動詞に関するｎグラムの発生頻度から算出されるスピアマンの相関係数・有意度を含む方法。
【請求項８】
コンピュータを使用して、共通の話題を有する第１の特徴値を有する第１の文書及び第２の特徴値を有する第２の文書から、第１の文書の着目する語彙に対応する第２の文書の語彙、又は、第２の文書の着目する語彙に対応する第１の文書の語彙を検出する方法であって、
（ａ）所定の用語リストに基づいて第３の文書を検索するステップ、
（ｂ）前記第３の文書のそれぞれについて第３の特徴値を算出するステップ、
（ｃ）前記第１の特徴値と前記第３の特徴値とを用いた判別式、及び、前記第２の特徴値と前記第３の特徴値とを用いた判別式により、前記第３の文書を第１の文書集合、又は、第２の文書集合に分類するステップ、
（ｄ）第１の文書集合及び第２の文書集合から、ガービッジ型文書、リスト型文書、日記型文書の一つ以上に該当する文書を除去するステップ、
（ｅ）第１の文書及び第２の文書の着目する語彙対の発生頻度を求めるステップ、
（ｆ）前記着目する語彙対の発生頻度に基づいて、前記第１の文書の着目する語彙との関連性が所定値以上の前記第２の文書の語彙を選択し、第１の文書の着目する語彙に対応する第２の文書の語彙とするステップ、
（ｇ）前記着目する語彙対の発生頻度に基づいて、前記第２の文書の語彙との関連性が所定値以上の前記第１の文書の語彙を選択し、第２の文書の着目する語彙に対応する第１の文書の語彙とするステップ、
を含み、
前記特徴値は、内容語数、素人語比率、固有名詞比率、追加固有名詞比率、助詞・助動詞比率、及び、内容語及び助詞・助動詞に関するｎグラムの発生頻度から算出されるスピアマンの相関係数・有意度を含む方法。
【請求項９】
コンピュータを使用して、以下の（ａ）から（ｃ）のステップを有する、共通の話題を有する第１の文書と第２の文書から、前記第１の文書の着目する語彙に対応する前記第２の文書の語彙、又は、前記第２の文書の着目する語彙に対応する前記第１の文書の語彙を検出する方法、
（ａ）第１の文書及び第２の文書の着目する語彙対の発生頻度を求めるステップ、
（ｂ）前記着目する語彙対の発生頻度に基づいて、前記第１の文書の着目する語彙との関連性が所定値以上の前記第２の文書の語彙を選択し、前記第１の文書の着目する語彙に対応する前記第２の文書の語彙を検出するステップ、
（ｃ）前記着目する語彙対の発生頻度に基づいて、前記第２の文書の着目する語彙との関連性が所定値以上の前記第１の文書の語彙を選択し、前記第２の文書の着目する語彙に対応する前記第１の文書の語彙を検出するステップ。
【請求項１０】
共通の話題を有する文書を検索し、第１の特徴値を有する第１の文書集合、又は、第２の特徴値を有する第２の文書集合に分類するために、コンピュータを
（ａ）所定の用語リストに基づいて第３の文書を検索する手段、
（ｂ）前記第３の文書のそれぞれについて第３の特徴値を算出する手段、
（ｃ）前記第１の特徴値と前記第３の特徴値とを用いた判別式、及び、前記第２の特徴値と前記第３の特徴値とを用いた判別式により、前記第３の文書を第１の文書集合、又は、第２の文書集合に分類する手段、
（ｄ）第１の文書集合及び第２の文書集合から、ガービッジ型文書、リスト型文書、日記型文書の一つ以上に該当する文書を除去する手段、
として機能させ、前記特徴値は、内容語数、素人語比率、固有名詞比率、追加固有名詞比率、助詞・助動詞比率、及び、内容語及び助詞・助動詞に関するｎグラムの発生頻度から算出されるスピアマンの相関係数・有意度を含むプログラム。
【請求項１１】
共通の話題を有する第１の特徴値を有する第１の文書及び第２の特徴値を有する第２の文書から、第１の文書の着目する語彙に対応する第２の文書の語彙、又は、第２の文書の着目する語彙に対応する第１の文書の語彙を検出するために、コンピュータを、
（ａ）所定の用語リストに基づいて第３の文書を検索する手段、
（ｂ）前記第３の文書のそれぞれについて第３の特徴値を算出する手段、
（ｃ）前記第１の特徴値と前記第３の特徴値とを用いた判別式、及び、前記第２の特徴値と前記第３の特徴値とを用いた判別式により、前記第３の文書を第１の文書集合、又は、第２の文書集合に分類する手段、
（ｄ）第１の文書集合及び第２の文書集合から、ガービッジ型文書、リスト型文書、日記型文書の一つ以上に該当する文書を除去する手段、
（ｅ）第１の文書及び第２の文書の着目する語彙対の発生頻度を求める手段、
（ｆ）前記着目する語彙対の発生頻度に基づいて、前記第１の文書の着目する語彙との関連性が所定値以上の前記第２の文書の語彙を選択し、第１の文書の着目する語彙に対応する第２の文書の語彙とする手段、
（ｇ）前記着目する語彙対の発生頻度に基づいて、前記第２の文書の語彙との関連性が所定値以上の前記第１の文書の語彙を選択し、第２の文書の着目する語彙に対応する第１の文書の語彙とする手段、
として機能させ、前記特徴値は、内容語数、素人語比率、固有名詞比率、追加固有名詞比率、助詞・助動詞比率、及び、内容語及び助詞・助動詞に関するｎグラムの発生頻度から算出されるスピアマンの相関係数・有意度を含むプログラム。
【請求項１２】
共通の話題を有する第１の文書と第２の文書から、前記第１の文書の着目する語彙に対応する前記第２の文書の語彙、又は、前記第２の文書の着目する語彙に対応する前記第１の文書の語彙を検出するために、コンピュータを、
（ａ）第１の文書及び第２の文書の着目する語彙対の発生頻度を求める手段、
（ｂ）前記着目する語彙対の発生頻度に基づいて、前記第１の文書の着目する語彙との関連性が所定値以上の前記第２の文書の語彙を選択し、前記第１の文書の着目する語彙に対応する前記第２の文書の語彙を検出する手段、
（ｃ）前記着目する語彙対の発生頻度に基づいて、前記第２の文書の着目する語彙との関連性が所定値以上の前記第１の文書の語彙を選択し、前記第２の文書の着目する語彙に対応する前記第１の文書の語彙を検出する手段、
として機能させるプログラム。